(57)【要約】【課題】表示デバイスに表示される映像の大きさが異なる場合でも、スクリーンに表示される投射映像のサイズをほぼ一定にすることができる投射型表示送致を提供する。【解決手段】光源７から放射された光は、液晶表示デバイス５及び投射レンズ１１を通ってミラー９で反射され、スクリーン１０に到達する。投射レンズ１１は表示デバイス５に表示された映像を任意の倍率で拡大するズーム機能を有する。マイコン２は映像信号に基づいてスクリーン１０に表示される映像の倍率を決定し、該倍率で表示デバイス５に表示された映像がスクリーン１０に投影されるよう投影レンズ駆動用モータ１２ａを制御する。【選択図】　　図１
2004037676.tif 000002
【特許請求の範囲】
【請求項１】
入力された映像信号によって表示デバイスを駆動し、この表示デバイスに表示された映像をスクリーンに投射して表示する投射型表示装置であって、
所定数の表示画素を有する表示デバイスと、
前記表示デバイスに光を入射するための光源と、
前記表示デバイスから出射される映像光を前記スクリーンに投射するとともに、投射映像を任意の倍率で拡大可能なズーム機能を有する投射レンズと、
前記投射レンズを操作し、投射倍率を変更する投射レンズ駆動手段と、
前記入力映像信号の種類に応じて前記倍率を設定し、この設定された倍率にしたがって前記投射レンズ駆動手段を制御する制御手段とを具備し、
前記制御手段は、前記表示デバイスの第１の領域に表示された映像を前記スクリーンに投射した場合と、前記第１の領域よりも狭い第２の領域に表示された映像を前記スクリーンに投射した場合とで、スクリーンに表示された画面サイズがほぼ近似する大きさになるように前記倍率を設定することを特徴とする投射型表示装置。
【請求項２】
前記第１の領域は前記表示デバイスのほぼ全域であり、前記第２の領域はそれよりも狭い領域であり、前記制御手段は、前記第１の領域に表示された映像を投射したときのスクリーンでの画面サイズを基準にして、前記第２の領域に表示された映像を投射するときの倍率を決定することを特徴とする請求項１記載の投射型表示装置。
【請求項３】
前記制御手段は、前記表示デバイスの画素数とアスペクト比を基に、前記入力映像信号の表示画素数とアスペクト比を比較し、前記倍率を決定することを特徴とする請求項１記載の投射型表示装置。
【請求項４】
前記制御手段は、前記表示デバイスの水平方向画素数をＰｈ０、垂直方向表示画素数をＰｖ０、前記入力映像信号の水平方向画素数をＰｈ、垂直方向画素数をＰｖとしたとき、
Ｐｈ／Ｐｖ　＞　Ｐｈ０／Ｐｖ０の場合、前記表示デバイスの水平方向画素数と前記入力映像信号の水平方向画素数の比に応じて前記倍率を決定し、
Ｐｈ／Ｐｖ　＜　Ｐｈ０／Ｐｖ０の場合、前記表示デバイスの垂直方向画素数と前記入力映像信号の垂直方向画素数の比に応じて前記倍率を決定することを特徴とする請求項１記載の投射型表示装置。
【請求項５】
前記制御手段は、前記表示デバイスに表示された映像の表示位置をシフトする手段を具備し、前記表示デバイスのほぼ全域に表示された映像を投射する場合と、前記シフト手段によってシフトされた映像のうち前記表示デバイスの中央領域に表示された映像を投射する場合とで、前記スクリーンに表示された画面サイズがほぼ近似する大きさになるように前記倍率を設定することを特徴とする請求項１記載の投射型表示装置。
【請求項６】
入力された映像信号によって表示デバイスを駆動し、この表示デバイスに表示された映像をスクリーンに投射して表示する投射型表示装置であって、
所定数の表示画素を有する表示デバイスと、
前記表示デバイスに光を入射するための光源と、
前記表示デバイスから出射される映像光を前記スクリーンに投射するとともに、投射映像を任意の倍率で拡大可能なズーム機能を有する投射レンズと、
前記投射レンズを操作し、投射倍率を変更する投射レンズ駆動手段と、
前記入力映像信号の種類に応じて前記倍率を設定し、この設定された倍率にしたがって前記投射レンズ駆動手段を制御する制御手段と、
前記設定した倍率に応じて前記光源の明るさを調整する手段とを具備し、
前記制御手段は、前記表示デバイスの第１の領域に表示された映像を前記スクリーンに投射した場合と、前記第１の領域よりも狭い第２の領域に表示された映像を前記スクリーンに投射した場合とで、スクリーンに表示された画面サイズがほぼ近似する大きさになるように前記倍率を設定し、前記明るさ調整手段は前記倍率が大きいほど光源の明るさを明るくすることを特徴とする投射型表示装置。
【請求項７】
入力された映像信号によって表示デバイスを駆動し、この表示デバイスに表示された映像をスクリーンの背面側に投射して表示する背面投射型表示装置であって、
所定数の表示画素を有する表示デバイスと、
前記表示デバイスに光を入射するための光源と、
前記表示デバイスから出射される映像光を投射するとともに、投射映像を任意の倍率で拡大可能なズーム機能を有する投射レンズと、
前記投射レンズからの投射映像を少なくとも１回反射して前記スクリーンの背面に導くミラーと、
前記投射レンズを操作し、投射倍率を変更する投射レンズ駆動手段と、
前記入力映像信号の種類に応じて前記倍率を設定し、この設定された倍率にしたがって前記投射レンズ駆動手段を制御する制御手段とを具備し、
前記制御手段は、前記表示デバイスの第１の領域に表示された映像を前記スクリーンに投射した場合と、前記第１の領域よりも狭い第２の領域に表示された映像を前記スクリーンに投射した場合とで、スクリーンに表示された画面サイズがほぼ近似する大きさになるように前記倍率を設定することを特徴とする背面投射型表示装置。
【請求項８】
入力された映像信号によって表示デバイスを駆動し、この表示デバイスに表示された映像をスクリーンの背面側に投射して表示する背面投射型表示装置であって、
所定数の表示画素を有する表示デバイスと、
前記表示デバイスに光を入射するための光源と、
前記表示デバイスから出射される映像光を投射するとともに、投射映像を任意の倍率で拡大可能なズーム機能を有する投射レンズと、
前記投射レンズからの投射映像を少なくとも１回反射して前記スクリーンの背面に導くミラーと、
前記投射レンズを操作し、投射倍率を変更する投射レンズ駆動手段と、
前記入力映像信号の種類に応じて前記倍率を設定し、この設定された倍率にしたがって前記投射レンズ駆動手段を制御する制御手段と、
前記設定した倍率に応じて前記光源の明るさを調整する手段とを具備し、
前記制御手段は、前記表示デバイスの第１の領域に表示された映像を前記スクリーンに投射した場合と、前記第１の領域よりも狭い第２の領域に表示された映像を前記スクリーンに投射した場合とで、スクリーンに表示された画面サイズがほぼ近似する大きさになるように前記倍率を設定し、前記明るさ調整手段は前記倍率が大きいほど光源の明るさを明るくすることを特徴とする背面投射型表示装置。
【発明の詳細な説明】
【０００１】
【発明の属する技術分野】
本発明は、液晶パネル等の表示デバイスをライトバルブとして使用した投射型表示装置に関し、表示画素数の定まった表示デバイスを使用する投射型表示装置に関する。
【０００２】
【従来の技術】
液晶パネル等の表示デバイスを用いた投射型表示装置として、例えば背面投射型表示装置（以下リアプロジェクタと称す）が知られている。リアプロジェクタは、スクリーンの背面にプロジェクタから投射された映像を表示するもので、視聴者はスクリーンの表面側から映像を視聴することができる。
【０００３】
液晶パネルを使用したリアプロジェクタについて説明すると、その構成は、光源からの光が照射それる液晶パネルと、この液晶パネルを映像信号によって駆動するドライブ回路と、液晶パネルからの出射光をスクリーンに投影する投射レンズとを有し、投射レンズからの映像光をスクリーンの背面側に投影するものである。なお、投射レンズからの映像光は、ミラーによって反射し、スクリーンに投影するようにしている。また、液晶パネルを駆動するための入力映像信号は、信号処理回路から供給され、この信号処理回路は、マイクロコンピュータ等の制御回路により制御されるようになっている。
【０００４】
前記液晶パネルが透過型の場合、前記光源から投射された光は液晶パネルの一方の面に入射し、この液晶パネルを透過することで出射光は映像信号によって強度変調を受け、投射レンズに入射する。投射レンズからの光は拡大され、ミラーで反射してスクリーンの背面に投影される。この結果、液晶パネルの表示面に表示された映像は拡大されてスクリーン上に映し出される。このようにして視聴者はスクリーン上の拡大映像を視聴することができる。
【０００５】
このような背面投射型の表示装置としては、例えば日本特許第２５６９６３２号に示すものがある。
【０００６】
上記液晶パネルが例えば１９２０×１０８０個の表示画素を有し、これと同一の画素数を有する映像信号（１０８０Ｐ）を表示する場合、スクリーンにはその全表示面を用いて映像が表示される。しかし、上記表示画素よりも画素数の少ない例えば１２８０×７２０画素数を持つ映像（７２０Ｐ）を表示する場合は、その画素数分だけのエリアに映像が表示されるため、スクリーンには小さな映像が表示されることになる。つまり、画素数の少ない映像は画素数の多い映像に比べ、スクリーン上に小さく表示される。
【０００７】
このように従来の投射型表示装置では、入力映像信号の画素数が表示デバイス（例えば液晶パネル）の全表示画素数よりも少ない場合、スクリーンに表示された画面が小さくなり、映像の迫力等が損なわれ、視聴者は違和感を覚えたりする。
【０００８】
従って、このような事情に対処するため、信号処理により画素数の少ない映像が入力された場合は、液晶パネルの全表示画素数に一致するよう映像信号の画素数を変換し、この変換された映像を液晶パネル上に表示することで、スクリーンに拡大された映像を表示する手法が採用されている。
【０００９】
このように、信号処理により映像信号の画素数を増加する（或いは減らす）処理を、ここではスケーリングと呼ぶ。このスケーリング処理は、マイコンを利用して行なわれ、入力された映像信号からその画素数及び種類等を検知し、表示デバイスの画素数に合わせてスケーリング処理を行う。その結果、液晶パネルに対する映像表示方法が切換えられ、これにより、スクリーン上の表示画面が小さくなるといった前述の不具合は解消される。
【００１０】
【発明が解決しようとする課題】
しかしながら、スケーリングによる表示は、実際には存在しない画素を、補間等の演算処理により生成するため、基本的にフォーカス感が損なわれる。例えば表示画面を整数倍に拡大する場合は、映像の全画素信号を水平及び垂直方向に整数倍に拡大する処理を行えばよいが、実際には１．５倍等の倍率が必要となる。１．５倍等に拡大する場合は、その補間方法も複雑になるし補間された映像信号も多少歪んだりするため、最適な画面表示はできない。
【００１１】
このようにスケーリングによって表示画面を拡大する場合は、信号処理回路が複雑になるためコストが増大し、しかも回路の開発期間が長くなるという欠点があった。
【００１２】
従って本発明はスクリーンに表示される映像のサイズを容易に変更できる投射型表示装置を提供することを目的とする。
【００１３】
【課題を解決するための手段】
請求項１の本発明は、入力された映像信号によって表示デバイスを駆動し、この表示デバイスに表示された映像をスクリーンに投射して表示する投射型表示装置であって、
所定数の表示画素を有する表示デバイスと；前記表示デバイスに光を入射するための光源と；前記表示デバイスから出射される映像光を前記スクリーンに投射するとともに、投射映像を任意の倍率で拡大可能なズーム機能を有する投射レンズと；前記投射レンズを操作し、投射倍率を変更する投射レンズ駆動手段と；前記入力映像信号の種類に応じて前記倍率を設定し、この設定された倍率にしたがって前記投射レンズ駆動手段を制御する制御手段とを具備し、
前記制御手段は、前記表示デバイスの第１の領域に表示された映像を前記スクリーンに投射した場合と、前記第１の領域よりも狭い第２の領域に表示された映像を前記スクリーンに投射した場合とで、スクリーンに表示された画面サイズがほぼ近似する大きさになるように前記倍率を設定することを特徴とする投射型表示装置である。
【００１４】
また請求項６の本発明は、前記設定した倍率に応じて前記光源の明るさを調整する手段をさらに具備したことを特徴とする投射型表示装置である。
本発明によれば、表示デバイスのほぼ全域に表示された映像を投射した場合であっても、それよりも小さいサイズで表示された映像を投射した場合であってもスクリーンにはほぼ近似する大きさの画面を表示することができる。またいずれの場合であってもスクリーンの画面の明るさを安定化することができる。
【００１５】
【発明の実施の形態】
図面を参照しながら本発明の実施の形態について詳細に説明する。以下に示す実施形態では、背面投射型の表示装置（リアプロジェクタ）の例を説明するが、この発明の装置はこれに限定するものではない。
【００１６】
図１は本発明の一実施形態に係るリアプロジェクタの構成を示すブロック図である。本例では表示デバイスとして透過型液晶パネル５を用い、種々のアスペクト比の映像を表示可能にしたものである。
【００１７】
図において、１は映像入力端子であり、この入力端子に入力された映像信号は信号処理回路３及びマイコン２に供給される。マイコン２は入力された映像信号から、水平及び垂直方向の画素数及びアスペクト比等を検知し、信号処理回路３に対しコマンドを発し、液晶パネル５に対する映像表示方法を切換える等の制御を行う。
【００１８】
一方、液晶パネル５は、光学エンジン４内に配置されており、信号処理回路３からの映像信号を用いてドライブされ、液晶パネル５の表示エリア内に上記映像信号に基く映像が表示される。また光学エンジン４内には光源７が設けられており、この光源７は点灯回路６によって発光状態が制御される。点灯回路６はマイコン２によって制御され光源７の点灯・消灯等の制御を行なう。
【００１９】
光源７からの光は液晶パネル５の表示エリアを透過し、投射レンズ１１に入射する。入射した光は拡大され、ミラー９で反射し、スクリーン１０に達する。
【００２０】
投射レンズ１１はズーム機能を有している。１４ａはズームリング、１２ａはズームリング１４ａを回転するモータであり、マイコン２の制御の下にモータ１２ａを回転することによりズームリング１４ａが回転し、投射レンズ１１が光軸方向に移動し、スクリーン１０に表示される映像の倍率が変更される。
【００２１】
また、１４ｂはフォーカスリング、１２ｂはフォーカスリング１４ｂを回転するモータであり、マイコン２の制御の下にモータ１２ｂを回転することによりフォーカスリング１２ｂが回転し、スクリーン１０に表示される画像のフォーカスが調整される。以上により、液晶パネル５の表示エリアに表示された映像が拡大されてスクリーン１０上に投射される。
【００２２】
図２は液晶パネル５及びスクリーン１０に表示される画面を示す図であり、（ａ）は液晶パネル５での表示状態を示し、（ｂ）はスクリーン１０での表示状態を示している。本実施形態では、液晶パネル５の表示エリア５ａには１９２０×１０８０個の表示画素が設けられているものとする。尚、表示画素数はこれに限定されるものではなく、様々な画素数の液晶パネルを有する投射装置に本発明は適用できる。
【００２３】
映像信号として１９２０×１０８０画素で構成される映像Ａ（以下、映像１０８０ｐと記述する）が入力された場合、液晶パネル５の表示エリア５ａ全面を使用して映像が表示される。この映像１０８０ｐは投射レンズ１１によって拡大され、スクリーン１０のほぼ全面に表示される。尚、表示エリア５ａの例えば垂直方向（図中縦方向）の寸法をＬｄ、スクリーン１０の縦方向の寸法をＬｓとすると、このときの投射倍率はＬｓ／Ｌｄであり、この倍率Ｌｓ／ＬｄをＬｐとする。
【００２４】
一方、１２８０×７２０画素で構成される映像Ｂ（以下、映像７２０ｐと記述する）が入力された場合、液晶パネル５の表示エリア５ａのうち１２８０×７２０画素を使用して映像が表示される。マイコン２は映像７２０ｐの中心と液晶パネル５の中心が一致するよう信号処理回路３を制御する。またマイコン２は映像７２０Ｐの画素数及びアスペクト比を判別し、液晶パネル５の画素数と比較し、映像７２０Ｐの画素数が少ない場合、投射レンズ１１の倍率を制御して１．５×Ｌｐ倍に拡大した映像７２０Ｐをスクリーン１０に表示する。この結果、映像７２０ｐもスクリーン１０のほぼ全面を使用して表示される。
【００２５】
図３は本実施形態の動作を示すフローチャート（自動拡大モード１）である。このモードは、映像１０８０Ｐ又は映像７２０Ｐが入力端子１に供給される場合であり、マイコン２は入力された映像のＨ（水平）周期及びＶ（垂直）周期を検知し（ＳＴ１０１）、それをもとに映像が１０８０ｐか否かを判断する（ＳＴ１０２）。
【００２６】
入力映像が１０８０ｐの場合、マイコン２はモータ１２ａにコマンドを送り、ズームリング１４ａを、倍率が下がる方向に回転する（ＳＴ１０３）。ある程度回転するとズームリング１４ａはそれ以上回転できなくなりモータ１２ａは空回り状態になる。この空回り状態になると、モータ１２ａに流れる電流が急に増加するため、マイコン２はその電流増加を検知した時点でモータ１２ａの回転を停止する（ＳＴ１０４、ＳＴ１０５）。この結果、液晶パネル５に表示された映像はＬｐ倍に拡大されてスクリーン１０に表示される。
【００２７】
即ち、ズームリング１４ａは倍率がＬｐとなる位置を基準位置としており、投射ステップＳＴ１０３では、先ずズームリング１４ａを上記基準位置になるよう倍率を下げる方向に回転させるわけである。投射レンズ１１が光軸方向に移動し、倍率Ｌｐの位置までくるとズームリング１４ａはストッパー（図示されず）により回転が停止する。このときモータ１２ａは空回りするため電流が所定値以上に増加し、マイコンはこの電流増加を検出してモータ１２ａに対して回転停止のコマンドを送り、停止させる。尚、このような停止制御は、位置センサ（図示されず）を用いて行ってもよい。
【００２８】
この後マイコン２は上記ズームリング１４ａの回転に合わせてフォーカスリング１２ｂを同様に動作させ、スクリーン１０に表示される映像のフォーカスを調整する（ＳＴ１０６）。
【００２９】
一方、映像が１０８０ｐではない場合（ステップＳＴ１０２でＮＯの場合）、マイコン２は、映像１０８０Ｐとは異なる映像７２０Ｐが入力されたものと判断し、モーター１２ａにコマンドを送り、ズームリング１４ａを、倍率が上がる方向に回転させる（ＳＴ１０７）。投射レンズ１１が光軸方向に移動し、倍率Ｌｐ×１．５の位置までくるとズームリング１４ａは先と同様にストッパー（図示されず）により回転が停止する。このときモータ１２ａは空回りして電流が所定値以上に増加するため、マイコン２はこの電流増加を検出した時点でモータ１２ａに対する回転コマンドを停止しモータ１２ａを停止させ（ＳＴ１０９）、その後、同様にフォーカスを調整する（ＳＴ１１０）。
【００３０】
このようにしてマイコン２は、画素数の多い映像１０８０ｐでは拡大倍率を小さく設定し、映像１０８０ｐの画郭をスクリーン１０の輪郭に合わせる。一方、画素数の少ない信号７２０ｐでは、拡大倍率を上げ、液晶パネル５に表示されている映像部分のみをスクリーン１０の輪郭に合わせて拡大表示する。
【００３１】
図４図は本発明の第２の実施形態に係るリアプロジェクションシステムを示すブロック図である。本実施形態では、光源７に印加する電圧を、映像の倍率に応じて切換える電圧切換え回路８が装備されており、マイコン２の制御の下にこの電圧切換え回路８を制御し、光源７の光量を切換えるものである。
【００３２】
図５は本実施形態の動作を示すフローチャート（自動拡大モード２）である。このフローチャートは図３に比べ、ステップＳＴ１１１及びＳＴ１１２が追加されており、他のステップは同様である。
【００３３】
スクリーン１０に表示される画面の明るさは、光源７の発光量が一定の場合、拡大倍率が上がると暗くなり、拡大倍率が下がると明るくなる。本実施形態では、拡大倍率が変化しても、スクリーン１０に表示される画面の明るさが変わらないように光源７の発光量が調節される。
【００３４】
マイコン２は入力映像信号に応じて光源７の発光量が変化するよう電圧切換え回路８にコマンドを送る。すなわち、画素数の多い映像１０８０ｐの時、マイコン２は光源７の印加電圧を低い電圧に設定し（ＳＴ１１１）、画素数の少ない映像７２０ｐの場合は高い電圧に設定する（ＳＴ１１２）。このようにして、拡大倍率が変化した場合でも、スクリーン１０に表示される画面の明るさは一定に保たれる。
【００３５】
次に本発明の第３の実施形態を説明する。図６は液晶パネル５に表示される様々のサイズ及びアスペクト比を有する映像画面を示す。本実施形態では、映像画面２０及び２１のように様々なサイズ及びアスペクト比を有する映像信号が入力端子１に入力される場合に、それら映像が最適な倍率で拡大されてスクリーン１０に表示される例を示したものである。
【００３６】
図７は本実施形態の動作を示すフローチャート（倍率設定モード）である。本実施形態でも、液晶パネル５には１９２０×１０８０個の表示画素が設けられているものとする。また入力される映像は、水平（ｈ）方向画素数Ｐｈが１９２０以下で垂直（ｖ）方向画素数Ｐｖが１０８０以下の場合を例に説明する。尚、入力される映像の画素数はこれに限定されるものではなく、液晶パネル５の表示画素数以上の場合も本発明は適用できる。
【００３７】
マイコン２は入力された映像のＨ周期及びＶ周期を検知し（ＳＴ２０１）、映像の水平方向画素数Ｐｈと垂直方向画素数Ｐｖの比Ｐｈ／Ｐｖが、液晶パネル５の画素数比１９２０／１０８０に一致するか否か判断する（ＳＴ２０２）。上記比が一致する場合、アスペクト比は同じであるが、画素数は少ないため、フローは図３又は図５のステップＳＴ１０２〜ＳＴ１１０又はＳＴ１０２〜ＳＴ１２２と同様にして、ズームリング１４ａを回転することにより、図２（ｂ）に示すように液晶パネル５に表示された映像は、その画郭がスクリーン１０の輪郭に一致するように拡大されて表示される。
【００３８】
また、映像の画素数比Ｐｈ／Ｐｖが、液晶パネル５の画素数比１９２０／１０８０より大きい場合（ステップＳＴ２０３でＹＥＳの場合）、マイコン２は倍率が（１９２０／Ｐｈ）×Ｌｐとなるように、モータ１２ａにコマンドを送りズームリング１４ａを回転する（ＳＴ２０４）。倍率Ｌｐは前述したように、映像１０８０ｐをその画郭がスクリーン１０の輪郭に一致するように拡大して表示するときの倍率である。この結果、図６の映像画面２０のような横長画像は、左右の画郭がスクリーン１０の左右の輪郭に一致するように拡大されて表示される。
【００３９】
尚、このときのズームリングの回転角制御は、前述したようにズームリング周辺に設けた位置センサを用いて行うことができ、モータ１２ａがステッピングモータであれば、該ステッピングモータに供給するパルス数によって回転角度を制御することができる。又、この回転角制御は、位置センサ及びステッピングモータの両方を用いて行うことができる。
【００４０】
一方、映像の画素数比Ｐｈ／Ｐｖが、液晶パネル５の画素数比１９２０／１０８０より小さい場合（ステップＳＴ２０３でＮＯの場合）、マイコン２は倍率が（１０８０／Ｐｖ）×Ｌｐとなるように、モータ１２ａにコマンドを送りズームリング１４ａを回転する（ＳＴ２０５）。この結果、図６の映像画面２１のような比較的に横幅が少ない映像画面は、上下の画郭のみがスクリーン１０の上下の輪郭に一致するように拡大されて表示される。
【００４１】
次に本発明の第４の実施形態を説明する。第４の実施形態では、ユーザ指示に応じて液晶パネル５上の任意の領域をズームし、投影レンズ１１により拡大してスクリーン１０の全面に表示する例である。
【００４２】
図８（ａ）は前述の映像１０８０ｐを液晶パネル５上に表示したものであり、その表示領域のうち、特定の領域３０（図８ａでは中央の領域）をユーザ指示に応じて、拡大してスクリーンに投射する場合を示している。この領域３０の映像は、投射レンズ１１のズーム機能によって拡大表示され、スクリーン１０の全面に表示される。
【００４３】
図８（ｂ）は映像１０８０ｐを液晶パネル５上の表示する際、ユーザ指示に応じて水平方向にｄｈ、垂直方向にｄｖだけシフトした映像（１０８０Ｓ）を表示し、液晶パネル５上に表示された中央部の領域３０ｓ（入力映像の左上の領域に相当）を投射レンズ１１のズーム機能により拡大してスクリーン１０に表示する例を示している。
【００４４】
領域３０ｓの中心は、液晶パネル５の中心に一致していので、ユーザによる拡大及びシフト指示に応じて、図８（ｃ）のように任意の領域３０ｓがスクリーン１０に拡大表示される。
【００４５】
図９は本実施形態の動作を示すフローチャートである。リアプロジェクタに設けられた操作パネルあるいはリモコン等のユーザＩ／Ｆ（図示されず）を介して拡大コマンドが入力されると（ステップＳＴ３０１でＹＥＳの場合）、マイコン２はモータ１２ａにコマンドを送り、ズームリング１４ａを拡大方向に所定角だけ回転する（ＳＴ３０２）。拡大コマンドが入力されている間、マイコン２はズームリングの拡大方向の所定角回転を繰り返す。ズームリングの回転角が限界に到達すると（ステップＳＴ３０３でＹＥＳの場合）、フローはＳＴ３０７に移行する。
【００４６】
ユーザＩ／Ｆを介して縮小コマンドが入力されると（ステップＳＴ３０４でＹＥＳの場合）、マイコン２はモータ１２ａにコマンドを送り、ズームリング１４ａを縮小方向に所定角だけ回転する（ＳＴ３０５）。縮小コマンドが入力されている間、マイコン２はズームリングの縮小方向の所定角回転を繰り返す。ズームリングの回転角が限界に到達すると（ステップＳＴ３０６でＹＥＳの場合）、フローはＳＴ３０７に移行する。
【００４７】
ユーザＩ／Ｆを介して水平（ｈ）方向シフトコマンドが入力されると（ステップＳＴ３０７でＹＥＳの場合）、マイコン２は信号処理回路３にコマンドを送り、液晶パネル５に表示される映像の表示位置を水平方向に所定画素数分シフトする（ＳＴ３０８）。水平方向シフトコマンドが入力されている間、マイコン２は液晶パネル５に表示される映像の所定画素数分の水平方向シフトを、シフト量が限界に到達しない限り（ＳＴ３０９）繰り返す。
【００４８】
ユーザＩ／Ｆを介して垂直（ｖ）方向シフトコマンドが入力されると（ステップＳＴ３１０でＹＥＳの場合）、マイコン２は信号処理回路３にコマンドを送り、液晶パネル５に表示される映像の表示位置を垂直方向に所定画素数分シフトする（ＳＴ３１１）。垂直方向シフトコマンドが入力されている間、マイコン２は液晶パネル５に表示される映像の所定画素数分の垂直方向シフトを、シフト量が限界に到達しない限り（ＳＴ３１２）繰り返す。このようなシフト処理は、映像信号中の画素の表示位置にオフセットを与えるだけでよいので、スケーリングのような画像処理に比べ、遥かに簡単な処理であり容易に実現できる。
【００４９】
本実施形態によるリアプロジェクタによれば、映像コンテンツを視聴中、ユーザは決定的瞬間を一時停止画像とし、更に注目領域を拡大してスクリーン１０に表示することができる。
【００５０】
尚、本実施形態では映像１０８０ｐの任意領域を拡大して表示する場合を説明したが、他のアスペクト比及び画素数を有する映像についても本実施例は適用できることは明らかである。
【００５１】
【発明の効果】
以上説明したように本発明によれば、スクリーンに表示される映像のサイズを容易に変更できる投射型表示装置を提供できる。
【図面の簡単な説明】
【図１】本発明の一実施形態に係るリアプロジェクタの構成を示すブロック図
【図２】液晶パネル及びスクリーンに表示される画面を示す図。
【図３】本発明の第１の実施形態の動作を示すフローチャート。
【図４】第２の実施形態に係るリアプロジェクタの構成を示すブロック図。
【図５】第２の実施形態の動作を示すフローチャート。
【図６】液晶パネルに表示される様々のサイズ及びアスペクト比を有する映像画面を示す図。
【図７】第３の実施形態の動作を示すフローチャート。
【図８】拡大及びシフト処理にて表示される液晶パネル上の領域を示す図。
【図９】第４の実施形態の動作を示すフローチャート。
【符号の説明】
１…映像入力端子、２…マイコン、３…信号処理回路、４…光学エンジン、５…液晶パネル、６…点灯回路、７…光源、８…電圧切換え回路、９…ミラー、
１０…スクリーン、１１…投射レンズ、１２ａ…ズームリング用モータ、１２ｂ…フォーカスリング用モータ、１４ａ…ズームリング、１４ｂ…フォーカスリング
【図１】
2004037676.tif 000003
【図２】
2004037676.tif 000004
【図３】
2004037676.tif 000005
【図４】
2004037676.tif 000006
【図５】
2004037676.tif 000007
【図６】
2004037676.tif 000008
【図７】
2004037676.tif 000009
【図８】
2004037676.tif 000010
【図９】
2004037676.tif 000011